(57)【要約】【課題】建造物の壁面や道路の側壁等に取り付けて緑化を促進するように、多種類の植物を植栽可能にするプランター式であって、潅水システムを各段への引き込み式にすることによって上方のみならず下方への水分供給を確保するようにした壁面緑化ユニットを提供する。【解決手段】単体又は上下方向に積み重ねた複数のユニット１の最上部に水分を受ける受水蓋２が設けられ、各ユニット１は上下方向に所定間隔をあけて前方が開放された状態に複数のトレー４を保持する前枠３と各トレー４の後部を保持する中板５と該中板の後面に設けられた水分の浸透性を有する保水材６と該保水材６の後面を保持して壁面に取り付ける後枠７とを有し、保水材６を介して上方から供給された水分を各トレー４に引き込む構造により、受水蓋２に設けられた排水穴２ａから保水材６に給水された水分が各トレー４内に充填された植栽土壌８に配分されるようにした。【選択図】図１
2004337054.tif 000002
【特許請求の範囲】
【請求項１】
建造物や道路等の壁面に取付けて植栽を行なうようにした壁面緑化ユニットにおいて、単体又は上下方向に積み重ねた複数のユニットの最上部に水分を受ける受水蓋が設けられ、各ユニットは上下方向に所定間隔をあけて前方が開放された状態に複数のトレーを保持する前枠と各トレーの後部を保持する中板と該中板の後面に設けられた水分の浸透性を有する保水材と該保水材の後面を保持して前記壁面に取り付ける後枠とを有し、前記保水材を介して上方から供給された水分を各トレーに引き込む構造により、前記受水蓋に設けられた排水穴から前記保水材に給水された水分が各トレー内に充填された植栽土壌に配分されるようにしたことを特徴とする壁面緑化ユニット。
【請求項２】
前記トレーは底面部の前後に前面部と後面部とを上方に折曲形成すると共に前面部は後面部よりも高く形成してなり、前記前枠の上下方向に所定間隔で形成された各開口窓の下端に各トレーの前面上部を前方に折曲してなる前方係止片を係止する一方、前記中板の上下方向に所定間隔で形成された各開口部の下端に各トレーの後面の上部を後方に折曲してなる後方折曲片を係止すると共に該後方折曲片を水分の浸透性を有する保水マットの内部へ差し込んだ構造とすることにより、各トレーの後方折曲片を介して前記保水マットの上方から供給された水分を各トレーに引き込み、前記トレーの底板に設けられた排水穴によって余剰水分を下方のトレーへ排出するようにしたことを特徴とする請求項１記載の壁面緑化ユニット。
【請求項３】
前記トレーは底面部の前部を上方に折曲形成してなる前面部と該底面部の後部を下方に折曲して成る支持片とを有し、各トレーの支持片を前記中板の上下方向に所定間隔で固定してなり、該トレーの前部と上部を断熱材で被覆すると共に該断熱材の上部に形成された植栽穴からトレー内に植栽された植物を生育させ、前記中板と前記後枠との間に設けられた水分の浸透性を有する保水ロープの下端を前記中板に形成された引込口から挿通して各トレー内に差し込んだ構造とすることにより、各保水ロープの上方から供給された水分を各トレーに引き込み、前記トレーの後方下部の中板に設けられた排水穴によって余剰水分を前記保水ロープ側へ排出するようにしたことを特徴とする請求項１記載の壁面緑化ユニット。
【請求項４】
前記受水蓋の上方には潅水パイプが設けられ、該潅水パイプを介して前記受水蓋に水分が供給されるようにしたことを特徴とする請求項１、２または３記載の壁面緑化ユニット。
【発明の詳細な説明】
【０００１】
【発明の属する技術分野】
本発明は、建造物の壁面や道路の側壁等に取り付けて緑化を促進するようにした壁面緑化ユニットに関するものである。
【０００２】
【従来の技術】
従来、建造物の壁面や道路の側壁等に植栽を行うのは困難であったが、近年においては、このような箇所にも植栽を可能とする壁面緑化に関する技術開発が遂行されている。
【０００３】
ところで、そのような壁面緑化の技術を大きく分けると、パネル式のものとネット式のものとプランター式のものとがある。
【０００４】
このうちパネル式のものは、種々の材料による薄層盤に植物を根付かせるものであり、根鉢部の土が少ないため、水分の保持力が小さい等の理由により、植栽可能な植物がセダム類や苔類に限定されるという欠点がある。
【０００５】
また、ネット式のものは、道路の側壁にネット状の部材を張り、その下部の土壌に植栽した植物をネットに絡ませながら生育させるようにしたものであるが、植栽可能な植物がヘデラを代表とする蔓類の登攀植物に限定されるという欠点がある。
【０００６】
そこで、上記のセダム類、苔類或は蔓類の他に多種類の植物を植栽可能とする緑化方式としてプランター式のものに着目し、以下の特許文献１〜３を参照しながら従来の技術について説明する。
【０００７】
まず、特許文献１に記載の発明は、図８（ａ）〜（ｄ）に示すように、複数段積み上げ可能な緑化用ユニット５０からなり、それぞれの緑化用ユニット５０は、背面板５１ａと底板５１ｂと天板５１ｃとからなる前面が開放された本体５１と、この本体５１に収容する１個以上の植栽容器５５とからなり、上記底板５１ｂおよび天板５１ｃにはそれぞれ適宜間隔で給水孔５６および排水孔５７が形成され、図８（ａ）に示すように、上記の緑化用ユニット５０を基礎５２の上に複数配列し、側部は支柱５３で支持し、上部は笠木５４で保持した状態で道路等の側壁に取り付けるようにしている。
【０００８】
このような構成において、図８（ｃ）に示すように、植栽容器５５は、前面を開放した直方体の容器を隔壁５８で区画して上下に複数の植栽室５９、５９…を設けると共に、両横壁６０、６０には連通孔６１を設け、さらに天井部には給水を貯留する水受け６２及び給水孔６３を設け、底部には排水孔６４を設けると共に、隔壁５８に通水、通気または排水用の孔６５を設け、さらに前面には植栽室５９に対応した植栽孔６６と、この周囲に設けた複数の通気孔６７を有する分割可能な蓋６８を設けてなり、各植栽室５９には人工土壌（不図示）が充填され、この人工土壌に対して予め任意の植栽が施される。
【０００９】
さらに、上記の構成においては、天板５１ｃの上方に並行して走る樋６９を設け、この樋６９は植栽室５９の幅と略同じピッチで仕切板７０で区画され、各区画の底部には給水用の孔７１が設けられ、さらに仕切板７０を横切って給水チューブ７２が設けられ、この給水チューブ７２から滴下される水を仕切単位に受け止めるようにしている。
【００１０】
また、特許文献２に記載の発明は、図９（ａ）〜（ｃ）に示すように、前面開放の偏平縦型コンテナであり、コンテナ７５内に間隔を存して斜めに設置する仕切板７６、７６…で多層にセル７７、７７…を形成し、各セル７７内に人工軽量土壌を含む人工土壌７８を充填して植生基板を形成したことを特徴とする壁面等の緑化用コンテナである。
【００１１】
このような構成においては、ビルの壁面等にボルト７９等によって固定する背面板８０と該背面板８０に上記の複数の仕切板７６、７６…を形成すると共に、各仕切板７６の両側を側面板８２、８２で保持してあり、さらに仕切板７６、７６…の最上部には断面三角形状の空間８３が形成され、これらの三角形状の空間８３と各セル７７、７７…に充填された人工土壌７８、７８………に植物を植生するようにしている。また、各仕切板７６、７６…には水抜き孔８４、８４…が形成され、最上の三角形の空間８３で受けた給水または雨水を各水抜き孔８４、８４…を経て下方に浸透させ排出するようにしている。
【００１２】
なお、特許文献３に記載の発明は、パネル式の部類に分類されるものであり、図１０（ａ）、（ｂ）に示すように、建造物の壁面に取付け可能で上面に開口する入水口８６及び下面に開口する排水穴８７を有するケース８８と、このケース８８内に収容した培養土を含む植栽材８９と、この植栽材８９に植栽され前記ケース８８の外側面に露出する緑化植物９０とからなることを特徴とする壁面緑化ユニットである。
【００１３】
このような構成において、前記植栽材８９は、ケース８８内に通水層９１と培土層９２と植栽層９３とが積層されて成り、植栽層９３の外面にメッシュ９４が張られ、このメッシュ９４によって植栽材８９の撓みを防止するようにしている。
【００１４】
【特許文献１】
特開平９−９７８７号公報
【特許文献２】
特開２０００−２０１５３６号公報
【特許文献３】
特開２００２−３３５７６５号公報
【００１５】
【発明が解決しようとする課題】
ところで、図８（ａ）〜（ｄ）に示す特許文献１の発明における潅水のシステムは、天板５１ｃの上方に設けられた給水チューブ７２からの滴下を樋６９の各仕切板７０による区画ごとに受けとめ、この樋６９の区画ごとの各底に設けられた給水用の孔７１を経て、下方の植栽容器５５の水受け６２に滴下され、水受け６２の給水孔６３から下方の各植栽室５９に滴下され、さらに各植栽室５９の底に設けられた通気または排水用の孔６５を経て、さらに下方の各植栽室５９に至り、底の排水孔６４を経て排出される。
【００１６】
ところが、特許文献１の発明によれば、植栽容器５５の各植栽室５９、５９…には人工土壌が充填されるため、上方から供給された水分は各植栽室５９、５９…の人工土壌を順次浸透すると共に、通気または排水用の孔６５を介して下方の植栽室５９に至るものであり、下方に至るほど植栽室５９に供給される水分が不足する。
【００１７】
また、図９（ａ）〜（ｃ）に示す特許文献２の発明における潅水のシステムは、最上の三角形の空間８３で受けた給水または雨水が各仕切板７６の水抜き孔８４を通過しながら各セル７７、７７…の人工土壌７８、７８………を順次浸透して下方へ至るものであるため、下方のセル７７に至るほど水分が不足する。
【００１８】
さらに、図１０（ａ）、（ｂ）に示す特許文献３の発明は、マットまたはシート状の植栽層９３と板状の培土層９２に緑化植物９０を根付かせるため、植栽可能な植物が限定されるものである。また、この潅水システムは、ケース８８の上面の入水口８７から下方へ浸入して通水層９１を経ながら植栽層９３と培土層９２とヘ浸透させるようにしたものであるが、各層が単に接触していることによって生じる水分の浸透性によって各層へ給水するものであるため、下方に至るほど水分の供給が困難になる。
【００１９】
本発明は、上記の問題点を解消するために成されたもので、建造物の壁面や道路の側壁等に取り付けて緑化を促進するように、多種類の植物を植栽可能にするプランター式であって、潅水システムを各段への引き込み式にすることによって上方のみならず下方への水分供給を確保するようにした壁面緑化ユニットを提供することを目的とする。
【００２０】
【課題を解決するための手段】
上記の課題を解決するために、本発明の請求項１の壁面緑化ユニットは、建造物や道路等の壁面に取付けて植栽を行なうようにした壁面緑化ユニットにおいて、単体又は上下方向に積み重ねた複数のユニットの最上部に水分を受ける受水蓋が設けられ、各ユニットは上下方向に所定間隔をあけて前方が開放された状態に複数のトレーを保持する前枠と各トレーの後部を保持する中板と該中板の後面に設けられた水分の浸透性を有する保水材と該保水材の後面を保持して前記壁面に取り付ける後枠とを有し、前記保水材を介して上方から供給された水分を各トレーに引き込む構造により、前記受水蓋に設けられた排水穴から前記保水材に給水された水分が各トレー内に充填された植栽土壌に配分されるようにしたことを特徴とする。
【００２１】
また、本発明による請求項２の壁面緑化ユニットは、請求項１において、前記トレーは底面部の前後に前面部と後面部とを上方に折曲形成すると共に前面部は後面部よりも高く形成してなり、前記前枠の上下方向に所定間隔で形成された各開口窓の下端に各トレーの前面上部を前方に折曲してなる前方係止片を係止する一方、前記中板の上下方向に所定間隔で形成された各開口部の下端に各トレーの後面の上部を後方に折曲してなる後方折曲片を係止すると共に該後方折曲片を水分の浸透性を有する保水マットの内部へ差し込んだ構造とすることにより、各トレーの後方折曲片を介して前記保水マットの上方から供給された水分を各トレーに引き込み、前記トレーの底板に設けられた排水穴によって余剰水分を下方のトレーへ排出するようにしたことを特徴とする。
【００２２】
また、本発明による請求項３の壁面緑化ユニットは、請求項１において、前記トレーは底面部の前部を上方に折曲形成してなる前面部と該底面部の後部を下方に折曲して成る支持片とを有し、各トレーの支持片を前記中板の上下方向に所定間隔で固定してなり、該トレーの前部と上部を断熱材で被覆すると共に該断熱材の上部に形成された植栽穴からトレー内に植栽された植物を生育させ、前記中板と前記後枠との間に設けられた水分の浸透性を有する保水ロープの下端を前記中板に形成された引込口から挿通して各トレー内に差し込んだ構造とすることにより、各保水ロープの上方から供給された水分を各トレーに引き込み、前記トレーの後方下部の中板に設けられた排水穴によって余剰水分を前記保水ロープ側へ排出するようにしたことを特徴とする。
【００２３】
さらに、本発明による請求項４の壁面緑化ユニットは、請求項１、２または３において、前記受水蓋の上方には潅水パイプが設けられ、該潅水パイプを介して前記受水蓋に水分が供給されるようにしたことを特徴とする。
【００２４】
【発明の実施の形態】
以下、本発明の実施例について図面を参照しながら説明する。
【００２５】
（実施例１）
本発明は、図１〜図４に示すように、建造物や道路等の壁面１０に取付けて植栽を行なうようにした壁面緑化ユニット１において、単体又は上下方向に積み重ねた複数のユニット１、１…の最上部に水分を受ける受水蓋２が設けられ、各ユニット１は上下方向に所定間隔をあけて前方が開放された状態に複数のトレー１、１…を保持する前枠３と各トレー４、４…の後部を保持する中板５と該中板５の後面に設けられた水分の浸透性を有する保水材６と該保水材６の後面を保持して前記壁面１０に取り付ける後枠７とを有し、前記保水材６を介して上方から供給された水分を各トレー４に引き込む構造により、前記受水蓋２に設けられた排水穴２ａから前記保水材６に給水された水分が各トレー４内に充填された植栽土壌８に配分されるようにしたものである。
【００２６】
このような発明による実施例１について詳細に述べると、図１〜図４に示すように、受水蓋２は単体のユニット１又は上下方向に積み重ねた複数のユニット１、１…の最上部に固定され、その構造は前後左右に側板２ｂを有すると共に底板２ｃの後方側に長尺の排水穴２ａが形成され、この受水蓋２で雨水を受けたり、後述する潅水パイプ１１から供給される水分を受けて、排水穴２ａから下方の保水材６（本実施例においては保水マット６ａ）に水分を供給するようにしている。
【００２７】
なお、図４に示す壁面緑化ユニット１、１…は、横方向に２個のユニット１、１が配設されると共に、上下方向に２個のユニット１、１が積み重ねられた構成として図示してあるが、所望の壁面を覆うように横方向及び上下方向にさらに多数のユニットを配設することを可能とするものである。
【００２８】
また、図４にはその最上部に受水蓋２が設けられ、潅水パイプ１１は各受水蓋２の上方に連続的に付設されているが、個々のユニット１の最上部に受水蓋２を設けて、その受水蓋２ごとに潅水パイプ１１を付設するようにしてもよい。いずれにしても、潅水パイプ１１は建築物の屋上等に設けられた貯水槽や地上からのポンプ給送によって給水し、潅水パイプ１１の穿孔部１１ａ（図３参照）から散水して上記のように受水蓋２で受けるようにしている。
【００２９】
各ユニット１における各トレー４は、図２又は図３に示すように、横長の底面部４ｂの前後に前面部４ａと後面部４ｃとを上方に折曲形成すると共に、前面部４ａは後面部４ｃよりも高く形成されている。このような構成において、植栽土壌８を各トレー４の後面部４ｃの上端付近まで充填すると、トレー４の前面部４ａの高さは植栽土壌８の上面よりもさらに高い位置にあるため、トレー４内の植栽土壌８や給水された水分が飛散して下方へ落下し難い構造となり、下方の通行人に対する安全防止または迷惑防止を成すことが可能となる。
【００３０】
また、各トレー４は夫々同一の形状を有し、前面部４ａの上端を前方に折曲してなる前方係止片１２と後面部４ｃの上端を後方に折曲してなる後方折曲片１３とを有する。なお、これらの前方係止片１２と後方折曲片１３とは、後述するように前枠３の開口窓１４の下端と後枠７の開口部１５の下端に係止され得る幅を有するように形成されている。
【００３１】
図２において、上記の前枠３は左右両側に後方に向けて折曲された側板３ａ、３ａを有する。また、前枠３の前面には上下方向に間隔をあけて複数の開口窓１４、１４…が形成されている。さらに、図３に示すように、各開口窓１４の上下方向の間隔は各トレー４の前面部４ａの上下幅に相当するように形成され、各開口窓１４の下端に各トレー４の前面部４ａに形成された前方係止片１２を係止した状態にすると、各トレー４は前枠３で隠れた状態となって外方からは見えないが、開口窓１４から各トレー４内の植栽土壌８に植えられた植物９が外方へ成長して全体には緑化された外観を呈することとなる。
【００３２】
なお、前枠３の左右の側枠３ａ、３ａには開口窓１４を同様の高さ及び上下幅を有する側窓１６が形成され、夫々のトレー４の植栽土壌８に植えられた植物９を側窓１６からも見えるようにしている。
【００３３】
一方、中板５の上下方向に所定間隔で形成された各開口部１５の下端に各トレーの後面の上部を後方に折曲してなる後方折曲片１３が係止される。この中板５は、図３に示すように、下段のトレー４からその上段のトレー４までの間が中板５の開口部１５によって開口された状態にあるため、各開口部１５においては、中板５の後面に設けられた保水マット６ａがトレー４側に露呈した状態となる。
【００３４】
本実施例における保水材６は、水分の浸透性を有する保水マット６ａからなり、ポリエステル固綿シートまたは３Ｄ構造の不織布等を使用して長方形平面に形成されている。この保水マット６ａの上端は、図３に示すように、受水蓋２の排水穴２ａの直下に接触され、受水蓋２で受けた雨水や後述する潅水パイプ１１から給水された水分を排水穴２ａを介して直ちに保水マット６ａに浸透させるようにしている。
【００３５】
また、図２に示すように、上記の保水マット６ａには各トレー４の後面部の上端に形成された後方折曲片１３の位置に差し込み溝が形成され、図３に示すように、夫々の差し込み溝６ｂに各トレー４の後方折曲片１３を差し込むことによって、上記のように保水マット６ａの上方から供給された水分を各後方折曲片１３で受け止めてトレー３内に引き込むことができる。
【００３６】
また、図３に示すように、各トレー４の底板４ｂには排水穴１７が設けられ、この排水穴１７によって植栽土壌８中に給水された余剰水分を下方のトレー４へ排出することによって、水分を無駄なく供給することができるようにしている。
【００３７】
さらに、本実施例において、後枠７は上記の保水材６（保水マット６ａ）の後面を保持して建築物等の壁面１０にボルト等で締結することにより固定してある。この後枠７には両側に前方へ折曲された保持片７ａ、７ａが形成され、後枠７を壁面１０に固定した上で、後枠７の両側の保持片７ａ、７ａを前枠３の左右の側枠３ａ、３ａに重ねて、側枠３ａのネジ穴３ｂと保持片７ａのネジ穴７ｂにボルト７ｃ（図１参照）を挿通して固定することにより、後枠７と中板５の間に保水マット６ａを保持すると共に、中板５と前板３との間に上下方向に所定間隔をあけて各トレー４、４…を取り付けることができる。なお、トレー４の左右の側方は前枠３の左右の側板３ａ、３ａによって閉塞される。
【００３８】
このような構成において、各トレー４は前面部４ａの前方係止片１２を前枠３の開口窓１４に係止し、後面部４ｃの後方折曲片１３を中板５の開口部１５に係止した構成によって、夫々のトレー４は取り外し自在とされ、トレー４ごとに植物９の取替えが可能である。
【００３９】
また、上記の構成において、前枠３はＡＢＳ樹脂を使用してその表面にアクリル樹脂等の熱反射塗料を表面に塗布することによって太陽熱がトレー内に伝達するのを遮断し、各トレー４内の根部の温度上昇を防止して、植物の健全な生育を保護することができる。
【００４０】
さらに、他の熱防止構造としては、前枠３とトレー４との間に発泡ＡＢＳ樹脂やロックウールを充填したり、前枠３の前面に断熱材を張り付けたり、または塗布したり、さらに断熱材の代わりに赤外線反射シートを張り付けたり、熱反射または断熱塗料を吹き付けたりしても効果的である。
【００４１】
また、トレー４に使用する材料としては、エンジニアリングプラスチック等の高強度樹脂材料、ＡＢＳ樹脂やＦＲＰ等のプラスチック材料の他に、アルミニウムやステンレス等の軽量金属を用いてもよい。また、中板５と後枠７は、アルミニウム板等の軽量金属を使用することができる。
【００４２】
さらに、トレー４内に充填する植栽土壌８としては天然軽石、ココヤシダスト、ココヤシ繊維、ピートモス等の人工軽量土壌を使用することができ、本実施例においては、各トレー４の上方が開放されているため、トレー内に植栽する苗は、ポット苗木が好ましい。その植物としては、ゼラニウム、バラ、マツバギク等の多年草、さらにはツルマサキ、ヘデラ等の下垂性植物等が適し、意匠性にすぐれた壁面緑化が可能となる。
【００４３】
（実施例２）
本実施例においては、図５〜図７に示すように、上記の実施例と同様の受水蓋２が単体のユニット１ごとに、又は上下方向に積み重ねられた複数のユニット１、１…の最上部に設けられ、上記同様の潅水パイプ１１が設けられている。
【００４４】
本実施例において、図５〜図７に示すように、各トレー４は底面部４ｂの前部を上方に折曲形成してなる前面部４ａと該底面部４ｂの後部を下方に折曲して成る支持片４ｄとを有し、各トレー４の支持片４ｄを中板５の上下方向に所定間隔で固定してなるものである。
【００４５】
なお、各トレー４の使用材料は、上記実施例と同様にエンジニアリングプラスチック等の高強度樹脂材料、ＡＢＳ樹脂やＦＲＰ等のプラスチック材料、さらにはアルミニウムやステンレス等の軽量金属の板状体を用いるとよい。
【００４６】
さらに、図５または図７に示すように、各トレー４、４…の前部と上部を断熱材２０で被覆すると共に該断熱材２０の上部に形成された植栽穴２１、２１…からトレー４内に植栽された植物９を挿出させて生育させる。このような植栽穴２１の形成箇所は、図５に示すように、各トレー４の横幅に応じて所定間隔で複数個形成してよいが、トレー４内の植栽土壌８に植栽された植物９をすべての植栽穴２１に通す必要はなく、植物の種類によって選択的に挿通するようにし、使用しない植栽穴２１があっても通気穴として機能させることができる。
【００４７】
また、中板５と後枠７はいずれもアルミニウム等によって形成し、中板５と後枠７との間に設けられた保水材６として、本実施例においては、水分の浸透性を有する綿ロープ等による保水ロープ６ｃを設ける。図７に示すように、個々の保水ロープ６ｃは上端６ｄを受水蓋２の排水穴２ａに接触または露出させることによって、受水蓋２で受けた雨水または潅水パイプ１１からの給水を排水穴２ａから下方の保水ロープ６ｃに直ちに浸透させて下方へ水分を供給すると共に、各保水ロープ６ｃの下端６ｅを各トレー４ごとにおいて中板５の所定箇所に形成された引込口５ａから挿通してトレー４内に差し込んだ構造とすることにより、各保水ロープ６ｃの下端６ｅは各トレー４内の植栽土壌８に接触して上方から供給された水分を各トレー４の植栽土壌８に引き込むことが可能となる。
【００４８】
また、各トレー４の後方下部における中板５には排水穴２３が形成され、該排水穴２３によって植栽土壌８中の余剰水分を保水ロープ６ｃ側へ排出することによって、水分を他のトレー４へ無駄なく供給することができる。
【００４９】
さらに、本実施例においても、後枠７は上記の保水材６（保水ロープ６ｃ）の後面を保持して建築物の壁面にボルト締結等によって固定してあり、図６に示すように、後枠７の両側に前方へ折曲された保持片７ａ、７ａで保水ロープ６ｃを介して中板５を固定すると共に、該中板５の上下方向に所定間隔をあけて各トレーをボルト締結、溶接または接着等によって固定することができ、図５に示すうに、トレー４の左右の側方は断熱性を有する側板２２によって閉塞される。
【００５０】
また、上記の構成を有する本実施例において、各トレー４の断熱材２０はＡＢＳ樹脂を使用してその表面にアクリル樹脂等の熱反射塗料を表面に塗布することによって太陽熱がトレー内に伝達するのを遮断し、根部の温度上昇を防止して、植物の健全な生育を保護するようにしてもよい。
【００５１】
さらに、本実施例においても、トレー４内に充填する植栽土壌としては天然軽石、ココヤシダスト、ココヤシ繊維、ピートモス等の人工軽量土壌を使用する。なお、本実施例においては、各トレー４の上部に断熱材２０が設けられ、該断熱材２０に形成された植栽穴２１からトレー４内に植栽された植物９を挿出し生育させるようにしてあるため、植栽初期の根の定着が弱い植物の飛散防止が可能となり、バーベラやテヘラ等のプラグ苗木にも適するものである。
【００５２】
なお、上記の実施例１または２において、トレー４内の植栽土壌８や植物の飛散等をより確実に防止するために、壁面緑化ユニット１の前面を覆う飛散防止ネット（不図示）を設けてもよい。
【００５３】
【発明の効果】
以上説明したように本発明の壁面緑化ユニットによれば、プランター式のトレーを建造物や道路等の壁面に沿って上下方向に所定間隔をあけて配設することができ、このようなユニットを横方向または上下方向に積み重ねることによって、壁面を所望の面積で覆い、従来の壁面緑化において可能であった植物に限定されず、多彩な植物によって意匠性にすぐれた壁面全体の緑化を行うことが可能となる。
【００５４】
また、本発明において、潅水システムは、単体のユニットごと、又は上下方向に積み重ねられた複数のユニットの最上部に設けられた受水蓋で雨水を受けたり、潅水パイプによって供給された水分を各ユニットの全面に付設された保水マットや保水ロープを介して各トレー内に引き込む構造を有することにより、上方のみならず下方への水分供給を確保することができ、また各トレーの底板に設けられた排水穴、或いは各トレーの後方下部の中板に設けられた排水穴によって各トレー内の余剰水分を排出して再利用することができるため、潅水システムの簡便化、水管理の労力軽減、水資源の利用等を図ることが可能となる。
【００５５】
さらに、各ユニットを構成する構造において、前面部を後面部よりも高く形成し、または各トレーの前部と上部を断熱材で被覆すると共に該断熱材の上部に形成された植栽穴からトレー内に植栽された植物を生育させる構造とすることにより、トレー内の植栽土壌や給水された水分が飛散して下方へ落下し難い構造となり、下方の通行人に対する安全防止または迷惑防止が可能となる。
【図面の簡単な説明】
【図１】本発明による実施例１の壁面緑化ユニットの単体を示す斜視図である。
【図２】本発明による実施例１の壁面緑化ユニットの単体を示す分解斜視図である。
【図３】本発明による実施例１の壁面緑化ユニットの縦断面図である。
【図４】（ａ）は本発明による実施例１の壁面緑化ユニットを複数組み合わせた正面図であり、（ｂ）は縦断面図である。
【図５】本発明による実施例２の壁面緑化ユニットの単体を示す斜視図である。
【図６】本発明による実施例２の壁面緑化ユニットの単体を示す分解斜視図である。
【図７】本発明による実施例２の壁面緑化ユニットの縦断面図である。
【図８】（ａ）は従来の植栽用壁体を示す正面図、（ｂ）は従来の植栽壁体を示す斜視図、（ｃ）は従来の植栽容器及び蓋を示す斜視図、（ｄ）は従来の樋を示す斜視図である。
【図９】（ａ）は従来の緑化用コンテナを示す正面図、（ｂ）は縦断面図、（ｃ）は側面図である。
【図１０】（ａ）は従来の壁面緑化ユニットを示す正面図、（ｂ）は縦断面図である。
【符号の説明】
１…壁面緑化ユニット
２…受水蓋
２ａ…排水穴
２ｂ…側板
２ｃ…底板
３…前枠
３ａ…側板
４…トレー
４ａ…前面部
４ｂ…底面部
４ｃ…後面部
５…中板
５ａ…引込口
６…保水材
６ａ…保水マット
６ｃ…保水ロープ
６ｄ…保水ロープの上端
６ｅ…保水ロープの下端
７…後枠
８…植栽土壌
９…植物
１０…壁面
１１…潅水パイプ
１１ａ…穿孔部
１２…前方係止片
１３…後方折曲片
１４…開口窓
１５…開口部
１６…側窓
１７…排水穴
２０…断熱材
２１…植栽穴
【図１】
2004337054.tif 000003
【図２】
2004337054.tif 000004
【図３】
2004337054.tif 000005
【図４】
2004337054.tif 000006
【図５】
2004337054.tif 000007
【図６】
2004337054.tif 000008
【図７】
2004337054.tif 000009
【図８】
2004337054.tif 000010
【図９】
2004337054.tif 000011
【図１０】
2004337054.tif 000012